(57)【要約】【課題】直張り施工する場合であっても胴縁を配置することなく通気、排水の通路を確保することができるとともに、反りも抑制することができる外壁材、及び該外壁材を備える外壁を提供する。【解決手段】建物１外周に沿って並列される板状の外壁材１１、１１、…、２１、２１、…であって、裏面に、該裏面に沿って延在する帯状の凸部１４、１４、…、２４、２４、…が少なくとも一本形成されていることを特徴とする。【選択図】図４
2009133154.tif 000002
【特許請求の範囲】
【請求項１】
建物外周に沿って並列される板状の外壁材であって、
裏面に、該裏面に沿って延在する帯状の凸部が少なくとも一本形成されていることを特徴とする外壁材。
【請求項２】
前記凸部が前記裏面に所定の間隔を有して平行に複数並列されていることを特徴とする請求項１に記載の外壁材。
【請求項３】
前記凸部が所定の長さを有して前記裏面に複数配置されるとともに、該複数の凸部が千鳥状に配列されていることを特徴とする請求項１に記載の外壁材。
【請求項４】
請求項１〜３のいずれか一項に記載の外壁材が、該外壁材の前記凸部を前記建物の躯体又は既存外壁に接触させて留め付けられて前記建物の外周に並列されることにより形成されることを特徴とする外壁。
【発明の詳細な説明】
【技術分野】
【０００１】
本発明は、建物の外周に沿って並列して建物外壁を形成する外壁材、及び該外壁材を備える外壁に関し、詳しくは、柱や既存外壁等へ直張りをする場合であっても、排水・通気の通路を確保することができるとともに、高い強度を有する外壁材、及び該外壁材を備える外壁に関する。
【背景技術】
【０００２】
従来において、サイディング等の外壁材を建物の柱や間柱に直接留め付けることにより外壁材の施工が行われることがある（以下、「直張り」と記載することがある。）。その際、複数の柱の室外側面に外壁材を渡すように留め付けると雨水の浸入や結露等により外壁材の室内側面に生じた水を排出したり、室内側の湿気を室外に逃がす通気をしたりするための通路を確保することができない。そのため、従来は柱の室外側面に複数の胴縁を並列し、該胴縁の室外側に外壁材を配置する。これにより胴縁が柱と外壁材とのスペーサーの役割をして上記通路を確保することが可能となる。
【０００３】
例えば通気を確保するための胴縁の利用に関する例として特許文献１や特許文献２が開示されている。これによれば上記の通路を得るために柱と外壁材との間に胴縁を用いていることがわかる。特許文献１に記載の発明では胴縁に凹部等を設けることによりさらに通気性等を向上させることができ、特許文献２には、胴縁によって形成された通気路の最下部にグラスウール等を配置した発明を開示している。
【０００４】
【特許文献１】特開平５−５３３０号公報
【特許文献２】特開２００６−３１６４９１号公報
【発明の開示】
【発明が解決しようとする課題】
【０００５】
しかし、特許文献１及び特許文献２を含む従来技術においてはいずれも胴縁を備える必要があり、その材料費及び施工工程を削減したいとの観点から改善の要望があった。
【０００６】
ところで、金属サイディングにおいては、特に大きなサイズとなる場合にサイディングに反りが発生して問題となる場合もあった。
【０００７】
そこで、本発明は上記問題点に鑑み、直張り施工する場合であっても胴縁を配置することなく通気、排水の通路を確保することができるとともに、反りも抑制することができる外壁材、及び該外壁材を備える外壁を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、建物（１）外周に沿って並列される板状の外壁材（１１、３１、４１、５１、６１）であって、裏面に、該裏面に沿って延在する帯状の凸部（１４、１４、…、３４、３４、…、４４、４４、…、５４、５４、…、６４、６４、…）が少なくとも一本形成されていることを特徴とする外壁材を提供することにより前記課題を解決する。
【００１０】
ここで、「裏面」とは外壁材が建物に配置された姿勢で室内側に配置される面であり、室外側に配置される意匠面である表面に対向する面を意味する。以下同様である。
【００１１】
請求項２に記載の発明は、請求項１に記載の外壁材（１１、３１、４１、５１、６１）における凸部（１４、１４、…、３４、３４、…、５４、５４、…、６４、６４、…）が裏面に所定の間隔を有して平行に複数並列されていることを特徴とする。
【００１２】
請求項３に記載の発明は、請求項１に記載の外壁材（３１、６１）における凸部（３４、３４、…、６４、６４、…）が所定の長さを有して裏面に複数配置されるとともに、該複数の凸部が千鳥状に配列されていることを特徴とする。
【００１３】
請求項４に記載の発明は、請求項１〜３のいずれか一項に記載の外壁材（１１、３１、４１）が、該外壁材の凸部（１４、１４、…、３４、３４、…、５４、５４、…、６４、６４、…）を建物（１）の躯体（８）又は既存建物の外壁に接触させて留め付けられて建物の外周に並列されることにより形成されることを特徴とする外壁（１０）を提供することにより前記課題を解決する。
【００１４】
ここで、「建物の躯体」とは柱や間柱、梁等の建物を構成する構造部材を意味する。また、「既存建物の外壁」とは既に施工されている外壁を意味し、これには例えばモルタル等により形成された外壁を挙げることができる。
【発明の効果】
【００１５】
本発明によれば、本発明の外壁材を使用することで、胴縁を用いることなく通気、排水の通路を確保して外壁を形成することが可能となる。これにより胴縁の材料費や施工の工数を減らすことができ、経済性及び利便性に優れた外壁材、及び該外壁材を備える外壁を提供することができる。
【００１６】
また、凸部が外壁材の裏面側に所定の長さを有して帯状に形成されるので、当該凸部がいわゆるリブの作用により、外壁材の強度、特に反りの抑制に対して効果を奏するものとなる。
【００１７】
本発明のこのような作用及び利得は、次に説明する発明を実施するための最良の形態から明らかにされる。
【発明を実施するための最良の形態】
【００１８】
以下本発明を図面に示す実施形態に基づき説明する。
【００１９】
図１は第一実施形態に係る本発明の外壁材１１、１１、…（図２参照）を備えた外壁１０を有する木造の建物１を模式的に示した斜視図である。建物１は、２階建ての住宅であり、１階には窓４、５が設けられ、２階には窓３が備えられている。そして建物１の外周には斜線で示したように外壁材１１、１１、…（図２参照）を備え、これにより外壁１０が形成されている。
【００２０】
ここでは一例として上記のような建物１を示して説明したが、本発明が適用される建物はこれに限定されることはなく、以下に説明する本発明の外壁材を配置して外壁を形成することができる様々な建物を対象とすることが可能である。
【００２１】
図２は外壁１０を室外側正面から見た図で、その一部を表している。ここではわかり易さのため、外壁材（以下「サイディング」と記載することがある。）１１、１１、…の表面（室外側面）には斜線を付すとともに、外壁材１１、１１、…を透明に示して建物１の他の構成の一部も見えるように示している。また図２に表したサイディング１１、１１、…の左右、及び上方にも同様にサイディング１１、１１、…が並列されているが、ここでは省略している。このように、本発明の外壁材１１、１１、…は、建物１の外周に沿って並列され、これにより外壁１０を形成している。以下、サイディング１１、１１、…について説明し、その後該サイディング１１、１１、…によってどのように外壁１０が形成されているかを説明する。
【００２２】
図３は、サイディング１１の斜視図で、図３（ａ）が表面を手前に、図３（ｂ）が裏面を手前に示した図である。図４は、サイディング１１の表面（図４（ａ））及び裏面（図４（ｂ））を表す平面図である。さらに図５は図４（ａ）の右側面図で、紙面左側が表面、紙面右側が裏面である。図６は（ａ）は図４（ｂ）にＡ−Ａで示した線に沿った矢視断面図、図６（ｂ）は図６（ａ）にＢで示した部分を拡大した図である。これら図３〜図６を参照しつつサイディング１１について説明する。
【００２３】
サイディング１１は、全体として板状の部材であり所定の寸法に形成されている。サイディング１１の当該寸法は特に限定されるものではないが、例えばサイディング１１の高さ（図４における紙面上下方向寸法）は２００〜９１０ｍｍ、長さ（図４における紙面左右方向寸法）は２０００〜４０００ｍｍ、厚さ（図５における紙面左右方向寸法）は１０〜３０ｍｍの範囲で形成される場合が多い。またサイディング１１は、いわゆる金属サイディングであり、意匠面板１２、取付面板１３、係合部１５、被係合部１６、及び断熱材１７を有して形成されている。以下各構成について説明する。
【００２４】
意匠面板１２は、サイディング１１の表面（意匠面）を形成する金属製の板材である。従って意匠面板１２の当該表面側面には色彩や模様が付されている。意匠面板１２に用いられる金属は特に限定されるものではないが、通常ガルバリウム鋼板、アルミニウム薄板が用いられる。また意匠面板１２の厚さは特に限定されるものではないが、所定の強度を得つつ重すぎないように形成する観点から０．１〜１．０ｍｍであることが好ましい。
【００２５】
取付面板１３は、サイディング１１の裏面を形成し、意匠面板１２と平行に配置される金属製、紙製、又はプラスチック製の板材である。取付面板１３と意匠面板１２とは所定の間隔を有するように配置される。また取付面板１３の厚さは特に限定されるものではないが、所定の強度を得つつ重すぎないように形成する観点から０．１〜１．０ｍｍであることが好ましい。
【００２６】
さらに、取付面板１３には、図４（ｂ）、図５、及び図６からわかるように、裏面に凸となるとともに該裏面に沿って一方向に延材し、互いに平行に並列する複数の帯状の凸部１４、１４、…を有している。凸部１４、１４、…は図６に示したように断面において略台形であり、該台形の上底に相当する辺が裏面から図６（ｂ）にＣで示した大きさで突出するように形成されている。Ｃで示した大きさは特に限定されるものではないが、後述するように当該凸部１４、１４、…により通気、排水の通路を確保し、所定の強度を得るために、５ｍｍ以上であることが好ましい。また凸部１４、１４、…の帯状である幅も特に限定されるものではないが、サイディング１１の強度（反りを防止）の観点から１０ｍｍ以上が好ましく、４５ｍｍ以上であることがさらに好ましい。
【００２７】
当該凸部１４、１４、…は取付面板１３の一部を折り曲げて凸とすることにより形成されている。これにより凸部を形成するために他の部材を取り付ける必要がなく、部品点数を減らすことができる。ただし、これは他の部材を取り付けて凸部を形成することを妨げるものではなく、他の部材を取り付けて凸部を形成してもよい。
【００２８】
各凸部１４、１４、…は、後述するように柱８、８、８、間柱９、９（図２、図８参照）の室外面に配置されるような位置とされる。これにより凸部１４、１４、…により適切に通気、排水の通路を確保することができる。
【００２９】
また、ここで、凸部１４、１４、…はサイディング１１にとって、いわゆるリブを形成しているので、サイディング１１、１１、…の強度を向上させ、特に反りを抑制することに対し効果を奏する。
【００３０】
なお、ここでは１つの実施形態として断面が台形である凸部１４、１４、…について説明したが、断面形状はこれに限定されることはなく例えば矩形、半円形等であってもよい。本実施形態では製造し易さ等の観点から台形である凸部１４、１４、…とした。
【００３１】
係合部１５は、図５からわかるようにサイディング１１の一端面から立設するように突出する部材が具備される部位で、突起１５ａ及び片１５ｂを備えている。突起１５ａはサイディング１１の厚さ方向（図５の紙面左右方向）略中央に配置された突起である。片１５ｂは裏面１３から延在するように該端面に立設され、突起１５ａよりも長く形成されている辺である。突起１５ａ及び片１５ｂはいずれも図５に示した断面を有してサイディング１１の端面に沿って紙面奥／手前方向に延在している（図３、４参照）。
【００３２】
被係合部１６は、図５からわかるようにサイディング１１の端面のうち上記した係合部１５が配置される端面に対向する端面に設けられ、溝１６ａを有している。該溝１６ａは、サイディング１１の厚さ方向（図５の紙面左右方向）略中央に配置された溝で、溝幅が突起１５ａの幅より若干大きく形成されている。また溝１６ａの深さは突起１５ａの高さと概ね同じである。溝１６ａは、図５に示した断面を有してサイディング１１の端面に沿って紙面奥／手前方向に延在している（図３、４参照）。
【００３３】
サイディング１１が上記のような係合部１５、及び被係合部１６を備えることにより、後述するように並列して連結し、建物に安定して取り付けることができる。
【００３４】
断熱材１７は図６からわかるように、意匠面板１２と取付面板１３との間隙を埋めるように配置される断熱性を有する素材である。断熱材１７として用いられる材料は当該間隙に配置されて適切に断熱性を発揮するものであれば特に限定されることはないが、外壁材の強度向上や生産性の観点から充填性が良く、剛性の高い板状の定型材であることが好ましい。これには例えばウレタンの発泡断熱材を挙げることができる。
【００３５】
以上の構成を有して形成されたサイディング１１が建物の外周に沿って並列されることにより外壁１０となる。図７は図２にＤ−Ｄで示した線に沿った垂直矢視断面図、図８（ａ）は図２にＥ−Ｅで示した線に沿った水平矢視断面図である。また図８（ｂ）は図８（ａ）にＦで示した部位を拡大した図である。図７における紙面左が室外側、紙面右が室内側であり、図８における紙面下が室外側、紙面上が室内側である。以下、図２、図７、及び図８を参照しつつサイディング１１、１１、…が並列されて形成された外壁１０について説明する。
【００３６】
外壁１０は、サイディング１１、１１、…、透湿防水シート２０（図７では不図示）を備えている。その他外壁と室内壁との間には断熱、耐火のための手段である例えばグラスウールや石こうボード等が必要に応じて備えられている。ここではこれらの部材は省略している。
【００３７】
外壁１０では、サイディング１１、１１、…は図２からわかるように長手方向を水平にして建物外周に沿って配置されている。このとき係合部１５を上、被係合部１６を下に向けられて具備される。そして、サイディング１１は、スペーサー１８を介して係合部１５の片１５ｂを柱８に留め付けることにより固定される。ここでスペーサー１８は外壁材１１の上端部を適切に柱８に取り付けるための部材で、略直方体を有している。またその性質上固定部材１９が貫通されるとともに所定の固さを有していることが好ましい。これには例えば木材を挙げることができる。また、上下に隣り合うサイディング１１、１１、…は、下側に配置されたサイディング１１の上端面に具備される突起１５ａが、その上側に配置されるサイディング１１の下端面に具備される溝１６ａ内に挿入されることで係合して連結する。
【００３８】
一方、図８からわかるように、サイディング１１、１１、…が建物に取り付けられる際には、サイディング１１、１１、…の凸部１４、１４、…を柱８、８、８や間柱９、９の室外側面に接触させて配置する。これにより図７、図８にＧで示した分、梁６、７とサイディング１１、１１、…との間に間隙が形成され、通気や排水のための通路を確保することができる。このとき従来のように胴縁を必要としないので、その材料費や工数の削減が可能となる。
【００３９】
また、図８に示したように、サイディング１１、１１、…と柱８、８、８、間柱９、９との間に透湿防水シート２０が設けられてもよい。透湿防水シート２０は、透湿性を有するシートで、かかる性能を備えていればその種類は特に限定されるものではない。これは、室内側から屋外側へ湿度を透過させることができるが、屋外側からの雨水等は遮断するシートを挙げることができる。透湿防水シート２０は、ステープル、タッカー、釘、テープ、及び接着剤等で柱８、８、８、間柱９、９に取り付けられる。
【００４０】
また、並列されたサイディング１１、１１、…のうち最も下に配置されたサイディング１１の下端部には、水切り（不図示）が備えられてもよい。水切りはクランク状の断面を有して梁７に沿って配置される長尺部材である。これにより図７にＧで示した間隙内を落下してきた雨水等を適切に排出することができる。水切りは通常に用いられる水切りをそのまま用いることができ、その材質は特に限定されるものではないが、スチール、アルミニウム、及びステンレス鋼等の金属であることが好ましい。
【００４１】
図９は、サイディング１１、１１、…が備えられた外壁１０の変形例にかかる外壁１０’のうち、図７に対応する図である。従って、図９は外壁１０’の垂直断面図であり、紙面左側が室外側、紙面右が室内側である。ここで外壁１０’おいて、外壁１０と同じ部材については同一の符号を付した。外壁１０’では、サイディング１１、１１、…が既存の外壁の上から取り付けられて外壁１０’を形成している例である。すなわち、サイディング１１、１１、…と柱８との間にはモルタル２１、金網２２、下地ボード２３が存し、固定部材１９’がこれらを貫通することによりサイディング１１、１１、…が柱８に固定されている。サイディング１１、１１、…同士の連結については外壁１０と共通である。このような外壁１０’であっても、図９にＨで示したようにモルタル２１の室外側面に間隙を形成することができ、通気・排水路を形成することが可能となる。
【００４２】
本発明のサイディング１１、１１、…によれば、既存の外壁の上からも本発明の効果を奏して配置することができ、リフォーム等にも有効な、外壁材及び該外壁を備える外壁を提供することが可能となる。
【００４３】
図１０は第二実施形態にかかる本発明の外壁材（以下、「サイディング」と記載することがある。）３１の斜視図である。図１０（ａ）は表面を手前に、図１０（ｂ）は裏面を手前に表した図である。また、図９はサイディング３１の表面（図１１（ａ））及び裏面（図１１（ｂ））を表す図である。サイディング３１も、いわゆる金属サイディングであり、意匠面板３２、取付面板３３、係合部３５、被係合部３６、及び断熱材３７を有して形成されている。
【００４４】
サイディング３１の意匠面板３２、取付面板３３、係合部３５、被係合部３６、及び断熱材３７は、取付面板３３の凸部３４、３４、…のパターンが異なる他、上記したサイディング１１の意匠面板１２、取付面板１３、係合部１５、被係合部１６、及び断熱材１７の説明と概ね共通するのでここでは説明を省略する。
【００４５】
サイディング３１の凸部３４、３４、…は、図１０（ｂ）及び図１１（ｂ）からわかるように、所定の長さを有する凸部３４が、サイディング３１の長手方向に平行に複数配置され、これらが千鳥状であることを特徴とするものである。これにより、当該サイディング３１の長手方向を水平にして建物に配置したとき、柱の室外側面に凸部３４、３４、…を接触させて渡すように配置し、通気、排水の通路を確保することができる。さらには、図１１（ｂ）にＪで示したように凸部３４、３４、…が所定の重なりを有した千鳥状配列とすることにより、凸部３４、３４、…のリブとしての作用が大きくなり、サイディング３１の強度、特に反りの抑制に対する効果を奏するものとなる。
【００４６】
図１２は、サイディング３１の変形例であるサイディング３１’の裏面側正面図である。サイディング３１の凸部３４、３４、…が裏面側正面視で直線状であるのに対し、サイディング３１’では、凸部３４’、３４’、…は楕円状である。ここで凸部３４’、３４’、…は図１２にＪ’で示した重なりを有した千鳥状配列である。このようなサイディング３１’も本発明の外壁材とすることができる。
【００４７】
図１３は第三実施形態にかかる本発明の外壁材（以下、「サイディング」と記載することがある。）４１の斜視図である。図１３（ａ）は表面を手前に、図１３（ｂ）は裏面を手前に表した図である。また、図１４はサイディング４１の表面（図１４（ａ））及び裏面（図１４（ｂ））を表す図である。サイディング４１も、いわゆる金属サイディングであり、意匠面板４２、取付面板４３、係合部４５、被係合部４６、及び断熱材４７を有して形成されている。
【００４８】
サイディング４１の意匠面板４２、取付面板４３、係合部４５、被係合部４６、及び断熱材４７は、取付面板４３の凸部４４、４４、…のパターンが異なる他、上記したサイディング１１の意匠面板１２、取付面板１３、係合部１５、被係合部１６、及び断熱材１７の説明と概ね共通するのでここでは説明を省略する。
【００４９】
サイディング４１の凸部４４、４４、…は、図１３（ｂ）及び図１４（ｂ）からわかるように、所定の長さを有する凸部４４が、サイディング４１の縦横に対して斜めに複数に設けられ、これらが平行に並列されていることを特徴とするものである。これによっても、当該サイディング４１の長手方向を水平にして建物に配置したとき、柱の室外側面に凸部４４、４４、…を接触させて配置し、通気、排水の通路を確保することができる。さらには、図１４（ｂ）にＫで示したように凸部４４、４４、…が所定の重なりを有して並列されることにより、凸部４４、４４、…のリブとしての作用が大きくなり、サイディング４１の強度、特に反りの抑制に対する効果を奏するものとなる。
【００５０】
ここまで、サイディング１１、３１、４１は外壁１０、１０’のように、建物に配置される際、その長手方向を水平にして取り付けるいわゆる「横張り」形式について説明した。しかし取り付け向きはこれに限定されることはなく、例えば図１５に示したようにサイディング１１、１１の長手方向を垂直にして取り付けるいわゆる「縦張り」形式であってもよい。図１５は、当該縦張り形式の本発明の外壁５０の図２に対応する図である。すなわち外壁５０ではサイディング１１’、１１’がその長手方向を垂直にして建物外周に取り付けられている。このとき、サイディング１１’、１１’の係合部、被係合部は該サイディング１１’、１１’の左右の長辺に備えられる。
【００５１】
このような縦張りの場合であっても、上記したサイディング１１、３１、４１をそのまま縦にしたような裏面形状を適用することが可能である。またその他、図１６、及び図１７に示した裏面側形状を適用することができる。図１６、図１７は、第四実施形態、及び第五実施形態にかかるサイディング５１、６１の裏面側形状を示す正面図である。サイディング５１、６１はいずれも縦張りを想定したサイディングである。
【００５２】
図１６に示したサイディング５１では、取付面板５３側に上下を長手方向とする一直線状の凸部５４、５４、５４が並列されている。上下には係合部５５、被係合部５６を有している。図１７に示したサイディング６１はでは取付面板６３側に千鳥状に配列された凸部６４、６４、…を備えている。当該凸部６４、６４、…のそれぞれは、サイディング６１の長手方向に直交する短い側（図１７の紙面左右方向）を長手方向とする棒状であり、これが図１７にＪ’’で示した重なりを有して千鳥状に配列されている。上下には係合部６５、被係合部６６を有している。このようなサイディング５１、６１も本発明の外壁材とすることができる。
【００５３】
以上、現時点においてもっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う外壁材及び該外壁材を備える外壁もまた本発明の技術的範囲に包含されるものとして理解されなければならない。
【図面の簡単な説明】
【００５４】
【図１】第一実施形態に係る本発明の外壁材（サイディング）及び該外壁材が備えられた外壁を有する建物の外観斜視図である。
【図２】図１に示した外壁材（サイディング）及び該外壁材が備えられた外壁を有する建物の一部を示す外観正面図である。
【図３】外壁材（サイディング）の斜視図である。
【図４】外壁材（サイディング）表面及び裏面を示す図である。
【図５】外壁材（サイディング）の側面図である。
【図６】外壁材（サイディング）のＡ−Ａ断面図である。
【図７】図２のＤ−Ｄ矢視断面図である。
【図８】図２のＥ−Ｅ矢視断面図である。
【図９】本発明の外壁の変形例を示す図である。
【図１０】第二実施形態の外壁材（サイディング）の斜視図である。
【図１１】第二実施形態の外壁材（サイディング）の表面及び裏面を示す図である。
【図１２】第二実施形態の外壁材（サイディング）の変形例の裏面を示す図である。
【図１３】第三実施形態の外壁材（サイディング）の斜視図である。
【図１４】第三実施形態の外壁材（サイディング）の表面及び裏面を示す図である。
【図１５】縦張りの例による本発明の外壁を有する建物の一部を示す外観正面図である。
【図１６】第四実施形態の外壁材（サイディング）の裏面を示す図である。
【図１７】第五実施形態の外壁材（サイディング）の裏面を示す図である。
【符号の説明】
【００５５】
１  建物
３、４、５  窓
６、７  梁（建物の躯体）
８  柱（建物の躯体）
９  間柱（建物の躯体）
１０、１０’、５０  外壁
１１、３１、４１、５１、６１  サイディング（外壁材）
１２、３２、４２  意匠面板
１３、３３、４３、５３、６３  取付面板
１４、３４、４４、５４、６４  凸部
１５、３５、４５、５５、６５  係合部
１６、３６、４６、５６、６６  被係合部
１７、３７、４７  断熱材
１８  スペーサー
１９  固定部材（ビス）
２０  透湿防水シート
２１  モルタル
２２  金網
【図１】
2009133154.tif 000003
【図２】
2009133154.tif 000004
【図３】
2009133154.tif 000005
【図４】
2009133154.tif 000006
【図５】
2009133154.tif 000007
【図６】
2009133154.tif 000008
【図７】
2009133154.tif 000009
【図８】
2009133154.tif 000010
【図９】
2009133154.tif 000011
【図１０】
2009133154.tif 000012
【図１１】
2009133154.tif 000013
【図１２】
2009133154.tif 000014
【図１３】
2009133154.tif 000015
【図１４】
2009133154.tif 000016
【図１５】
2009133154.tif 000017
【図１６】
2009133154.tif 000018
【図１７】
2009133154.tif 000019